【事件の表示】
　平成　８年特許願第　９２４９５号「内視鏡装置」拒絶査定不服審判事件〔平成　９年１０月２８日出願公開、特開平　９−２７６２１４〕について、次のとおり審決する。
【結　論】
　本件審判の請求は、成り立たない。
【理　由】
 １．手続の経緯　
　
　本願は、平成　８年　４月１５日の出願であって、平成１７年　３月１１日付けで拒絶査定がなされ、これに対し、平成１７年　４月１１日に拒絶査定不服の審判請求が行われるとともに、同日付けで手続補正が行われたものである。　
　
　
　
２．平成１７年　４月１１日付け手続補正についての補正却下の決定　
　
［補正却下の決定の結論］　
　
　平成１７年　４月１１日付け手続補正を却下する。　
　
［理由］　
　
（１）平成１７年　４月１１日付け手続補正（本件補正）　
  　
　本件補正は、補正の内容として、特許請求の範囲の請求項１について、補正前（平成１７年　１月１９日付け手続補正書）の　
　
「【請求項１】　内視鏡装置に持たせる機能を予め選択して設定するための機能設定手段を設けると共に、上記機能設定手段による機能の選択を行える機能設定モードと上記機能設定手段による機能の選択を行えない通常モードとを切り換えるためのモード切換手段を設け、
　
　上記機能設定手段が、上記機能設定モードにおいて、上記内視鏡装置の電源投入時にそれに連動して送気ポンプをオン状態にするか或いは連動させずにオフ状態にするかの選択を、上記送気ポンプのオン／オフ以外の複数種類の機能の選択とは独立して行うことができるようにしたことを特徴とする内視鏡装置。」を、　
　
「【請求項１】　内視鏡装置に持たせる機能を予め選択して設定するための機能設定手段を設けると共に、上記機能設定手段による機能の選択を行える機能設定モードと上記機能設定手段による機能の選択を行えない通常モードとを切り換えるためのモード切換手段を設け、
　
　上記機能設定手段が、上記機能設定モードにおいて、上記内視鏡装置の電源投入時にそれに連動して送気ポンプをオン状態にするか或いは連動させずにオフ状態にするかの選択を、上記送気ポンプのオン／オフ以外の複数種類の機能の選択とは独立して行うことができるように
すると共に、
　
上記送気ポンプのオン／オフ状態を含めて上記機能設定モードにおいて設定された機能設定の状態を、内視鏡観察像が表示されるテレビモニタに一覧表示するための設定状態表示手段を設け
　
　この補正は、補正前の請求項１に記載した発明を特定するための事項である内視鏡装置の構成について、「上記送気ポンプのオン／オフ状態を含めて上記機能設定モードにおいて設定された機能設定の状態を、内視鏡観察像が表示されるテレビモニタに一覧表示するための設定状態表示手段を設けた」との限定を付加するものであって、特許法第１７条の２第４項第２号に規定する特許請求の範囲の減縮を目的とするものに該当する。　
　
　そこで、本願補正発明が特許出願の際独立して特許を受けることができるものであるか（特許法第１７条の２第５項において準用する同法第１２６条第５項の規定に適合するか）について検討する。　
　
（２）引用例　
　
　原査定の拒絶の理由に引用した、本願出願日前に頒布された刊行物である特開平６−７０８７８号公報（以下、「引用刊行物１」という。）には、「内視鏡システム」に関する発明が記載されており、図面とともに次の記載がある。（下線は、当審にて付加。）　
　
ア．「【０００１】【産業上の利用分野】本発明は、光源装置等のシステム構成装置を集中制御する制御装置を組込んだ
内視鏡システム
　
イ．「【００３５】
メイン操作画面３１において、電子内視鏡の細かな設定、例えば画像の色調や明るさ、送気量等を変更する際に、前記電子内視鏡設定画面切換スイッチ５１を押して電子内視鏡設定画面３２に切換える。電子内視鏡設定画面３２は、電子内視鏡の設定変更を行うための電子内視鏡設定スイッチ群５２が下部に設けられると共に、右上隅部に画面階層アップスイッチ５３が設けられている。
  　
ウ．「【００７８】次に、内視鏡の操作部に設けられた操作スイッチの機能設定について説明する。
メイン操作画面３１において、スコープスイッチ設定画面切換スイッチ４９を押すと、図１５に示すスコープスイッチ設定画面７４に切り換わる。このスコープスイッチ設定画面７４で内視鏡の操作スイッチの機能設定を行うことができる。
【００７９】本実施例では、内視鏡の操作スイッチの機能設定には、各スイッチに１つずつ合計４種類の機能を設定する基本モードと、ある特定の１つのスイッチに SHIFTの機能を割り当て、この SHIFTスイッチと他の３つのスイッチとを併用して合計６種類の機能を設定する拡張モードとが用意されている。
【００８０】基本モードで機能を設定する場合、
例えば内視鏡の操作スイッチ（Ａ）８５について設定するときは、まず、対応するスイッチ選択キー７５を押すとキーの枠の色が変わってスイッチが選択される。次に、設定したい機能を機能選択キー群８０の中から選択し、該当するキーを押して操作スイッチ（Ａ）８５に所望の機能を設定する。
　
エ．「【００２０】前記
コントロールパネル４の操作画面は、
システムを操作する際に最も汎用で用いる操作画面として、図１に示すメイン操作画面３１を表示するようになっている。
　
オ．「【００３０】
メイン操作画面の処理（Ａ）を図２１に示す。
【００３１】・・・
【００３２】図２１に戻り、Ｓ８において押されたスイッチが見出し部３７でない場合は、Ｓ９で、操作画面を下の階層に移行する指示か否か、すなわち、
メイン操作画面３１上の電子内視鏡設定画面切換スイッチ５１等の画面階層を切り換えるスイッチが押されたか否かが判断される。ここで、スコープスイッチ設定画面切換スイッチ４９が押された場合は、スコープスイッチ設定画面処理（ＡＡ）に移る。また、電子内視鏡設定画面切換スイッチ５１が押された場合は電子内視鏡設定画面処理（ＡＢ）
にそれぞれ移行する。
  　
カ．「【００１５】本実施例の内視鏡システムは、図２に示すように、ドクタワークステーション１とナースワークステーション２とからなるシステム本体３と、
システムの集中操作を行う集中操作手段としてのコントロールパネル４と、内視鏡画像を表示するモニタ５とを備えて
  　
キ．「【００１８】前記ホストコントローラ１６には、シリアルコントローラ１７を介して、シリアルインターフェースライン（シリアルＩ／Ｆライン）１９上に光源装置１２，ビデオシステムセンタ１３，ヒートプローブ装置１４，電気メス装置１５、及び内視鏡画像を記録するビデオテープレコーダ（ＶＴＲ）２０，内視鏡画像を静止画として撮影する撮影装置２１，内視鏡画像を紙に出力するビデオプリンタ２２が接続されている。また、ホストコントローラ１６には、パラレルコントローラ１８を介して、パラレルインターフェースライン（パラレルＩ／Ｆライン）２３上にコントロールパネル４，映像信号をＲＧＢの画像信号に変換するＲＧＢエンコーダ２４，
送気や送水等を行うポンプを備えた送気送水装置２５が接続されている。
  　
ク．「【００２８】
まず、初期動作として、図２０に示す初期設定を行う。システムの電源が投入されると、ステップＳ１（以下、ステップを省略する）で、ホストコントローラ１６は、動作のためのプログラムをロードし、システム内の各周辺装置の設定を前回電源オフしたときの設定にする。なお、本装置を初めて電源オンするときには、メーカで用意した基本設定にする。そして、図１に示すメイン操作画面３１の処理（Ａ）に移る。
　
ケ．「【００６７】また、
メイン操作画面３１やファイバスコープ操作画面３３等には、装置の各種設定値とか動作状態を表示する設定状態表示部６０が設けられている。
　
　
　そして、これらの記載から、引用刊行物１には「送気や送水等を行うポンプを備えた送気送水装置を有する電子内視鏡システムにおいて、
　電子内視鏡システムの機能を選択して設定するための電子内視鏡設定画面及びスコープスイッチ設定画面を設けると共に、上記電子内視鏡設定画面及びスコープスイッチ設定画面による機能の選択を行える電子内視鏡設定画面処理及びスコープスイッチ設定画面処理と上記電子内視鏡設定画面及びスコープスイッチ設定画面による機能の選択を行えないメイン操作画面の処理とを切り換えるための電子内視鏡設定画面切換スイッチ及びスコープスイッチ設定画面切換スイッチを設け、
　上記電子内視鏡システムの電源が投入されると、システム内の各周辺装置の設定を所定の設定にする初期設定を行うとともに、
　上記電子内視鏡設定画面及びスコープスイッチ設定画面において設定された機能設定の各種設定値を、内視鏡画像が表示されるモニタとは別個に設けられたコントロールパネルに一覧表示するための設定状態表示部を設けた電子内視鏡システム」（引用刊行物１記載の発明）が記載されているものと認められる。　
　
（３）対比・判断　
　
　本願補正発明と上記引用刊行物１記載の発明とを対比する。　
　
　引用刊行物１記載の発明の「電子内視鏡システム」、「電源」、「内視鏡画像」及び「モニタ」が、それぞれ本願補正発明の「内視鏡装置」、「電源」、「内視鏡観察像」及び「テレビモニタ」に相当することは明らかである。　
　
　また、引用刊行物１記載の発明の「電子内視鏡設定画面」及び「スコープスイッチ設定画面」は、それぞれ、「電子内視鏡の細かな設定を行うための画面」及び「内視鏡の操作スイッチの機能設定を行うことができる画面」であるから、いずれも、本願補正発明の「機能設定手段」に相当し、引用刊行物１記載の発明の「電子内視鏡設定画面処理」及び「スコープスイッチ設定画面処理」は、本願補正発明の「機能設定モード」に相当する。　
　
　また、引用刊行物１記載の発明の「メイン操作画面の処理」は、本願補正発明の「通常モード」に相当する。　
　
　また、引用刊行物１記載の発明の「設定状態表示部」は、本願補正発明の「設定状態表示手段」に相当する。
　
　また、引用刊行物１記載の発明の「送気や送水等を行うポンプ」は、本願補正発明の「送気ポンプ」に相当する。
　
　また、引用刊行物１記載の発明の「電子内視鏡システムの電源が投入されると、システム内の各周辺装置の設定を所定の設定にする初期設定」は、内視鏡装置の電源投入時にそれに連動して内視鏡装置の周辺装置に対して行われる初期設定動作という意味で、本願補正発明の「内視鏡装置の電源投入時にそれに連動して送気ポンプをオン状態にするか或いは連動させずにオフ状態にする」動作と共通するものである。
　
　
　したがって、両者は「送気ポンプを有する内視鏡装置において、
　内視鏡装置に持たせる機能を予め選択して設定するための機能設定手段を設けると共に、上記機能設定手段による機能の選択を行える機能設定モードと上記機能設定手段による機能の選択を行えない通常モードとを切り換えるためのモード切換手段を設け、
　上記内視鏡装置の電源投入時にそれに連動して内視鏡装置の周辺装置に対して所定の初期設定動作を行うと共に、
　上記機能設定モードにおいて設定された機能設定の状態を一覧表示するための設定状態表示手段と、内視鏡観察像が表示されるテレビモニタを設けた内視鏡装置。」である点で一致し、次の点で相違すると認められる。
  　
（相違点１）　
  　
　内視鏡装置の電源投入時にそれに連動して所定の指示に基づいて内視鏡装置の周辺装置に対して行われる所定の初期設定動作は、本願補正発明が「上記内視鏡装置の電源投入時にそれに連動して送気ポンプをオン状態にするか或いは連動させずにオフ状態にする」動作であるのに対して、引用刊行物１記載の発明においては、送気や送水等を行うポンプを設定することについては記載されておらず、単に「電子内視鏡システムの電源投入時にシステム内の各周辺装置の設定を所定の設定にする初期設定」動作である点。
　
（相違点２）　
  　
　機能設定モードにおいて設定された機能設定の状態を一覧表示するための設定状態表示手段が、本願補正発明では、「内視鏡観察像が表示されるテレビモニタ」に表示されるのに対して、引用刊行物１記載の発明では、「内視鏡画像が表示されるモニタとは別個に設けられたコントロールパネル」に表示される点。
  　
  　
　上記相違点について検討する。　
　
　相違点１について、
　
　引用刊行物１記載の発明は、送気や送水等を行うポンプを備えた送気送水装置を有しているものである。そして、内視鏡装置において、電源導入時にこれと連動してポンプをオン状態又はオフ状態とする技術は周知の技術であり（特開平６−２６９３８９号公報【００１１】〜【００１２】、特開平６−２２８９８号公報【００２６】〜【００２７】、特開昭６１−８０２１７号公報第３ページ右下欄第９行〜第４ページ左下欄第９行等参照）、引用刊行物１記載の発明においては、電源投入時にこれと連動してシステム内の各周辺装置の設定を行っているのであるから、引用刊行物１記載の発明において、上記送気や送水等を行うポンプに対して電源投入時に上記周知の技術のようにオン状態又はオフ状態のいずれかの動作を行わせるようにすることは、当業者であれば容易に想到し得ることである。そして、当該動作を行わせるに当たり、引用刊行物記載の発明においては、内視鏡システムの個々の周辺装置に対して独立して機能設定が可能である電子内視鏡設定画面処理及びスコープスイッチ設定画面処理において設定を行っているのであるから、当該電子内視鏡設定画面処理及びスコープスイッチ設定画面処理において、上記送気や送水等を行うポンプに対して上記いずれかの動作を行わせるように設定することは当業者が当然に採用する事項である。
　
　相違点２について
　
　機能設定モードと通常モードを切り換え可能な内視鏡装置において、機能設定画面等を内視鏡観察像が表示されるテレビモニタに表示する技術は周知の技術である（特開平４−８１１８８号公報第５ページ左上欄第６−１４行、第８ページ左上欄第１１−１３行目、第９ページ左上欄５−７行目、第１０，１４図、特開平６−１４２０３６号公報【００１０】、【００１４】〜【００１６】、特開平３−１１１０２３号公報第２ページ右下欄第９行〜第３ページ左上欄第１１行等参照）。
　引用刊行物１記載の発明における設定状態表示部は、メイン操作画面やファイバスコープ操作画面等に表示されるものであるとともに、上記各操作画面をどのような表示手段に表示するかは当業者が適宜選択し得るものであるから、上記設定状態表示部が表示される各操作画面を上記周知技術のように内視鏡画像が表示されるモニタに表示するようにすることは、当業者が容易に想到し得ることである。
　その際に、相違点１について検討したように、前記電子内視鏡設定画面処理又はスコープスイッチ設定画面処理において前記送気や送水等を行うポンプに対して所定の初期動作を行わせるように設定することが容易である以上、当該設定状況も含めて設定状態表示部に設定状況が表示されることは明らかである。
　
　そして、本願補正発明の作用効果も、引用刊行物１記載の発明及び上記周知技術から当業者であれば予測できる範囲のものである。
　
（４）むすび
　
　以上のとおり、本願補正発明は、引用刊行物１記載の発明及び上記周知技術に基づいて、当業者が容易に発明をすることができたものであるから、特許法第２９条第２項の規定により特許出願の際に独立して特許を受けることができないものである。　
　
　したがって、本件補正は、特許法第１７条の２第５項において準用する同法第１２６条第５項の規定に違反するものであり、特許法第１５９条第１項で読み替えて準用する同法第５３条第１項の規定により却下すべきものである。　
　
　
３．本願発明について　
  　
（１）本願発明　
  　
　平成１７年　４月１１日付手続補正は上記のとおり却下されたので、本願の請求項１に係る発明は、平成１７年　１月１９日付手続補正書で補正された明細書の特許請求の範囲請求項１に記載された、上記２．（１）に記載のとおりのものである。（以下、平成１７年　１月１９日付け手続補正書で補正された請求項１に記載された発明を「本願発明」という。）　
　　
（２）引用例　
  　
　原査定の拒絶の理由に引用した引用刊行物、及びその記載事項は上記「２．（２）引用例」に記載したとおりである。　
　
（３）対比・判断　
　
　本願発明は、前記２．で検討した本願補正発明から、内視鏡装置の構成について、「上記送気ポンプのオン／オフ状態を含めて上記機能設定モードにおいて設定された機能設定の状態を、内視鏡観察像が表示されるテレビモニタに一覧表示するための設定状態表示手段を設けた」との限定を省いたものである。
　
　そうすると、本願発明の構成要件を全て含み、さらに他の構成要件を付加したものに相当する本願補正発明が、上記「２．（３）対比・判断」に記載したとおり、引用刊行物１記載の発明及び上記周知技術に基づいて、当業者が容易に発明をすることができたものであるから、本願発明も、同様の理由により、引用刊行物１記載の発明及び上記周知技術に基づいて、当業者が容易に発明をすることができたものである。
　
（４）むすび　
　
　以上のとおり、本願発明は、引用刊行物１記載の発明及び周知技術に基づいて、当業者が容易に発明をすることができたものであるから、特許法第２９条第２項の規定により特許を受けることができない。　
　
　したがって、請求項２〜９に係る発明について審理するまでもなく、本件出願は拒絶されるべきものである。　
　
　よって、結論のとおり審決する。